(57)【要約】      （修正有） 【課題】ハーモニカ本体にリード保持プレートが釘等で固定された分解困難なハーモニカに、直接口を触れることなく調律出来る、ハーモニカ調律・検音装置を提供する。【解決手段】筺体１は、送風口２ａと吹出口を備え、リード６に共鳴する素材で、調律機工具一式を収納できる容量と気密性を保持している。吹出口は筺体の上面に設けられ、その上にハーモニカの吹口の大きさと位置までも同じ孔口１２を設けた３枚の薄板を重ね、中層のスライド板１０ａを動かすことで、３層の薄板が合成する孔口が、ハーモニカの上、下、上下合わせた３種類の吹口に合致する孔口を創れる分流制御アタッチメントを固定する。その上に分解出来ないハーモニカの吹口を下にして載せ、送風管２ｂから息を吹吸しつつ、スライド板を動かせば、上下リード個々の音はもとより、２つのリードを鳴らした時のビブラートの状態をも調律・検音出来る。【選択図】図１
0003197346.tif 000002
【実用新案登録請求の範囲】
【請求項１】
リード（6）に共鳴する素材で、調律機器と工具一式を収納出来る容量を有し、かつ気密性を保持する筺体（１）に、送風口（2a）と吹出口（18）を設け、その吹出口に３層からなる薄板のそれぞれに、ハーモニカ上下の吹口（22）の大きさと、その位置までをも同じにした孔口（12）を設け、中層に配したスライド板（10）を動かすことで3層の薄板が合成する孔口がハーモニカの上、下、上下合わせた３種類の吹口に合致する孔口が創られる分流制御アタッチメント（3）を固定し、その上に吹口を下にしたハーモニカを載せて、送風管（4b）から息を吹吸しながらスライド板を動かすことで、ハーモニカ本体（4）からリード保持プレート（5）を分離しなくとも、リード個々の音（振動数）はもとより、上下リードを同時に鳴らした時のビブラートの状態をも調律出来、更に調律時には自分や他人のハーモニカに直接口を触れないので、調律師はもとより調律依頼者の安全衛生及び心理面からの不安を払拭出来ることを特徴とする、調律機器や工具の収納箱と分流制御アタッチメントを利用したハーモニカ調律・検音装置。
【請求項２】
前記請求項１に示す、分流制御アタッチメント（３）についての、図１（1-1）のスライド板（10a）を本装置の垂直方向（縦）に動かして所定の合成孔口（12）を構成する「縦スライド分流制御アタッチメント」と、図2のスライド板（10b）を水平方向（横）に動かす「横スライド分流制御アタッチメント」２種類の分流制御アタッチメント。
【請求項３】
前記請求項２や、図1（１-1）、図２に示す縦・横スライド分流制御アタッチメントの底板（11）裏側にスペーサー（17）を設けた、「考案Ａ」縦スライド分流制御アダプターと、「考案Ａ」横スライド分流制御アダプター、それに図3に示す「考案Ａ」スライド板分流制御アダプターの、計３種類の「考案Ａ」分流制御アダプター。
【請求項４】
図5に示す如く、請求項２の縦または横スライド分流制御アタッチメントと「考案A」の装置を同じ調律箱の筺体（１）天端に併設して、本考案と、「考案A」の2方式で調律出来ることを特徴とする、調律機器や工具の収納箱と分流制御アタッチメントを利用したハーモニカ調律・検音装置。
【考案の詳細な説明】
【技術分野】
【０００１】
ハーモニカに直接口を触れることなく、リード（6）個々の音（振動数）はもとより、複音ハーモニカの上下対になっているリードを共鳴させた時に発生するビブラートの調律・検音装置。
【背景技術】
【０００２】
登録実用新案第3190460号（以降「考案A」と称す）の機能拡張及び発展を図った。
【０００３】
「考案A」は、ハーモニカの初心者でも正しい調律が簡単確実に出来ることと、他人のハーモニカに直接口を触れずに調律出来るので、調律師はもとより調律依頼者においても衛生・心理面での安全安心を格段に向上させた。
しかし、リード保持プレート（５）がリベットや釘等でハーモニカ本体（4）に固定されていて分離出来ない構造のハーモニカや、分離出来る構造のハーモニカであっても止ネジ（24）が固結して両者を分離出来ないハーモニカには、全く対応出来ないと言う大きな欠陥がある。
これ等の分離出来ない構造のハーモニカにおいても、直接口を触れることなく調律が出来る装置が望まれている。  
【０００４】
熟練者は耳が良く、リードが狂っている箇所を瞬時に聴き別け、狂ったハーモニカのままで演奏を続けることはない。直ぐに演奏を止め、カバー（23）を外して狂ったリード（6）だけを調律するので、調律する頻度は多くなるが、調律はその狂ったリード（6）だけを調律するので、極めて短い時間で調律を済ませている。
一方、「考案A」はハーモニカを分解しなければ調律出来ないので、頻繁にピンポイント調律を行なっている熟練者にとっては、余り実用的ではない。
ハーモニカに直接口を触れずに、狂っているリードだけをピンポインで調律出来、短時間に調律・検音出来る装置が望まれる。
【０００５】
オーケストラをはじめ他の楽器の合奏では、演奏直前に全員の楽器の「音合わせ」をしてから練習や演奏を開始する。
しかし、ハーモニカの合奏や練習前には、この音楽で最も重要な「音合わせ」が殆ど行われていない。その理由は他楽器に比し調律箇所が多く調律作業が難しいことにある。
合奏前に全員で「音合わせ」をするのは無理だとしても、自分はもとより合奏リーダーが事前に合奏者全員のハーモニカに直接口を触れることなく、その音やビブラートの状態を簡単に調べて調律しておければ、ハーモニカ合奏においても音程のしっかりした美しい演奏が可能となる。かかる観点から、他人のハーモニカに直接口を触れることなく簡単に検音出来る装置が切望されている。
【先行技術文献】
【特許文献】
【０００６】
【特許文献１】登録実用新案第3190460号  公報
【考案の概要】
【考案が解決しようとする課題】
【０００７】
「考案A」は、他人のハーモニカに直接口を触れずに調律出来るので、調律師はもとより調律依頼者の衛生面や心理面での安全安心を格段に向上させ、筺体（１）にリード音（振動数）を共鳴させる構造なので、大きなリード音を得られ、そして、送風管（２b）を介して吹き込んだ不安定な息（乱流）が、筺体（1）のバッファー効果によって吹出口（18）では安定した空気の流れ（整流）に変換され、それをリードに当てて検音するので、初心者でも常に安定した正しい検査音が得られる等の特徴を有する。
これ等の優れた特徴を有する「考案A」ではあるが、ハーモニカ本体（4）とリード保持プレート（５）が分離出来る構造のハーモニカしか適用出来ないと言う大きな欠陥がある。
本考案は、リード保持プレートがリベットや釘等で固定されている分離出来ない構造のハーモニカや、分離できる構造のハーモニカであっても止ネジ（24）が固結してリード保持プレート（５）を分離出来ないハーモニカでも、直接口を触れることなく調律出来るようにする。
【０００８】
「考案A」での調律は、結果としてハーモニカのオーバーホールに近い作業となるため調律に時間がかかり過ぎる。実際の調律場面を考えると、音が狂えばすぐに調律をするが、その代わり狂ったリードだけを直していることが多い。
本考案では、頻繁に行われる調律に耐えられる、ピンポイント調律と、調律時間の短縮を図る。
【０００９】
複音ハーモニカは対になっている上下のリード（6）の振動数（音）に、αHzだけ差がつけてある。そのために上下リードを同時に鳴らすと、ビブラートが発生し深みのある美しい音色が出る構造となっている。
「考案Ａ」は、リード個々の調律・検音は出来るが、対になった２つのリードを同時に鳴らすことが出来ない。本考案では、2つの音を同時に鳴らして、複音ハーモニカの最も肝心な機能である、ビブラートの調律・検音も可能にする。
【００１０】
オーケストラや他楽器の合奏では考えられないことであるが、ハーモニカの合奏においてはその特殊性から、音楽の合奏で最も重要で基本的な「音合わせ」がなされていない。
本考案では、他人のハーモニカに直接口を触れずに、かつハーモニカの構造が分解できる、出来ないに関わらず、全てのハーモニカの検音調律が簡単にできる装置を提供する。
【課題を解決するための手段】
【００１１】
本考案の基本構造は、調律機器や工具を入れる筺体（1）と、筺体の吹出口（18）から噴き出す空気（整流）の流れを、ハーモニカの吹口(22)に合致した空気の流れに変換する分流制御アタッチメント（３）の２つの部分で構成されている。
筺体（1）の機能は、ハーモニカのリード（6）音を共鳴させて音を増幅し、送風管（２ｂ）から吹込まれた不安定な息（乱流）が、筺体（１）のバッファー効果によって、吹出口（18）では安定した空気の流れ（整流）となって噴き出し、それをリードに当てることで常に正しいリードの検査音が得られることにある。
分流制御アタッチメントは、その噴き出す空気（整流）を3種類のハーモニカの吹口形状（上、下、上下同時）に合致する空気（整流）の流れに変換する。それをハーモニカの吹口に当てれば、それぞれのリードが鳴る（振動数）ので、ハーモニカの上、下個々のリードの調律・検音はもとより、上下リードを同時に鳴らした時のビブラートの調律・検音をも可能とする、調律機器や工具の収納箱と分流制御アタッチメントを利用した、ハーモニカの調律・検音装置を提供する。
【考案の効果】
【００１２】
本考案の効果を検証するために、実際に桐箱とアクリル板を用いて、図1の縦スライド分流制御アタッチメント、図2の横スライド分流制御アタッチメント, 図3のスライド板分流制御アダプター、 図4の縦・横スライド分流制御アタッチメントを利用した「考案A」のアダプター、図５の本考案と「考案A」の併設方式の5タイプの装置を実際に試作して、その効果を検証した。以下それ等の検証結果を示す。
【００１３】
従来のハーモニカ調律師は、他人が口をつけたハーモニカに直接口を触れて調律せざるを得なかったが、「考案Ａ」において初めて他人のハーモニカに直接口をつけずに調律出来るようになった。
しかし、その「考案Ａ」の欠陥は、ハーモニカ本体（4）とリード支持プレート（5）が分離できることが必須条件であり、それ等が釘やリベット（24）で固定されていて分離出来ない構造のハーモニカや、分離出来る構造のハーモニカであっても止ネジ（24）が固結して分離出来ないハーモニカには対応できなかった。
本考案は、これらの欠陥を解消し、ハーモニカの構造が分解出来る、出来ないに関わらず、あらゆるハーモニカに直接口を触れずに調律出来るので、「考案Ａ」で実現出来た調律師と調律依頼者双方の安全衛生・心理面での安全安心を更に向上させた。
【００１４】
ハーモニカの構造が分解出来る、出来ないにかかわらず、どんな構造のハーモニカであっても、カバー（23）を取外すだけで、直ぐに調律作業にかかれるので、熟練者が要望する狂ったリードだけを調律するピンポイント調律が出来るので、調律時間も大幅に短縮出来た。
【００１５】
従来の調律では、ハーモニカの個々のリード（6）音（振動数）の調律が主で、複音ハーモニカの優れた特性であるビブラートの調律は、ハーモニカに直接口を触れて２音を鳴らしながら調律していた。
本考案では、ハーモニカに直接口を触れることなく、ハーモニカの上・下リードは無論のこと、上下リードを同時に鳴らすことが出来るので、上・下リード音(振動数)と肝心のビブラートの3種類の調律・検音を可能にした。
【００１６】
ハーモニカ・ガイドレール（16）のレールゲージに2つのレールゲージを設けることで、ハーモニカのカバー（22）をつけたままと、取り外した場合の2つのケースで調律・検音が簡単に出来るようになった。
これにより、ハーモニカ教室の生徒自身が、自分のハーモニカを分解することなくそのままこの装置に載せれは、自分のハーモニカの状態を簡単に調べ調律出来るたり、合奏においてはリーダーが演奏者全員のハーモニカに直接口を触れることなく、全てのハーモニカの状態を事前に把握し調律しておけるので、オーケストラはじめ他楽器では当たり前の「音合わせ」がハーモニカでも実現出来る。
【図面の簡単な説明】
【００１７】
【図１】縦スライド分流制御アタッチメントの分解斜視図(1−１)及び、調律時の斜視図        （１−２）
【図２】横スライド分流制御アタッチメントの分解斜視図
【図３】スライド板分流制御アダプターの斜視図
【図４】分流制御アタッチメントを「考案A」のアダプターにした調律時の斜視図
【図５】本考案装置と「考案A」装置の併設斜視図
【図６】ハーモニカの概略構造斜視図
【考案を実施するための形態】
【実施例１】
【００１８】
調律機器や工具を収納する収納箱は、調律機工具を収納出来る容量と気密性を有し、リードに共鳴する素材で構成されている。その筺体（１）には、送風管（2b）を介して息（乱流）を吹き込む送風口（２a）と、整った空気（整流）が噴き出す吹出口（18）を設ける。
その吹出口（18）に分流制御アタッチメント（3）を重ね固定する。
【実施例２】
【００１９】
分流制御アタッチメントは、図1（1-1）、図2に示すように、上層の上板（8）と中間層の中板（9）及びスライド板（10）、下層の底板（11）の薄板3枚の積層構造となっている。
その上板、スライド板、底板には、それぞれハーモニカの上下吹口(22)の穴と同じ大きさで、位置も同じにした孔口（12）を設ける。
上板と底板の孔口の位置は重なるように中板を介して固定して、スライド板をずらすことにより、３枚の薄板で合成される孔口が、ハーモニカの上、下、上下吹口に合致する3種類の孔口となるように調整しセットする。
この分流制御アタッチメントを収納箱の吹出口（18）に合わせて固定し、その上に吹口(22)を下にしたハーモニカを載せて、送風管（2a)より息を吹吸いしながらスライド板を調整することで、上下リードの音（振動数）を調律・検音出来ると同時に、複音ハーモニカの最大の特徴であるビブラートについても即座に調律・検音出来る。
【実施例３】
【００２０】
分流制御アタッチメントは、スライド板（10）を動かす方向と形状を変えることで、図1（1-1）の「縦スライド分流制御アタッチメント」、図2の「横スライド分流制御アタッチメント」の２つの装置を考案した。
【実施例４】
【００２１】
縦スライド分流制御アタッチメント：
図１（1-1）に示す如く、縦スライド板（10a)を上下にスライドさせて、複音ハーモニカの上、下、上下合わせた３種類の吹口(22)の大きさと位置に合致した孔口（12）を創る方式。
縦スライド板（10a）にはスライド板を動かす操作ハンドル（13）と、スライド板裏側の所定の位置にストッパー(14)を設け、ストッパーが底板（9）に当たって止まれば、上、下個々の孔口が正確に出現するようにした。また、上下の孔口を同時に開く時のスライド板の同期位置はセンター位置表示標識（15）を上板の縁に合致させることで識別出来るようにした。
【実施例５】
【００２２】
横スライド分流制御アタッチメント：
図2に示す如く、横にスライドさせる場合は、縦スライドさせる場合と同様、上板（8）、横スライド板（10b）、底板（11）の３枚に、ハーモニカの上下の吹口(22)と同じ大きさの孔口（12）を、同じ位置に設ける。
それに加えて、横スライド板には、その開けた孔口の上半分の左側と、下半分の右側に接して、それぞれ同じ大きさの孔口をあけ、孔口全体としてはZ型の孔口を設けることで、横スライド板を横にスライドさせれば3種類の孔口が出現する。
その他の部材と機能は縦スライド方式に準ずるが、横スライド板（10b）が可動する範囲については上板及びハーモニカ・ガイドレール（16）を操作ハンドルの厚みだけ切り欠き、操作ハンドルにストッパー機能を持たせて、左右に動かして止まった時に上下の孔口（12）が正確に出現するようにした。そして、上下同時に開く孔口の位置についてはセンター位置標識（15）で識別出来るようにした。
【実施例６】
【００２３】
「考案A」のアダプター（付属部品）；
図4に示す如く、本考案の縦・横スライド分流制御アタッチメント（3）が「考案A」においてもそのまま利用出来るように、分流制御アタッチメントの底板（11）の裏側に、スペーサー（17）を取り付け、「考案A」のリード切削調律台（19）とリード破損防止台（20）にはめ込むアダプターを考案した。
このアダプターを用いることで、「考案A」においても、ハーモニカ本体（4）とリード支持プレート（5）を分離出来ない構造のハーモニカの調律・検音を可能にした。
これにより、「考案Ａ」においても、ハーモニカの構造が分離出来る、出来ないに関わらず、直接口を触れることなく、全ての構造のハーモニカの調律を可能にした。
併せて、同じ考えに基づき、図3に示すスライド板分流制御アダプターも考案した。
【実施例７】
【００２４】
スライド板分流制御アダプター；
上項と同じく、「考案A」のアダプター（付属部品）として考案したもので、基本原理は横スライド板（10b）の機能を応用したものである。図3に示す如く、スライド板（10c）を、直接「考案A」の吹出口（18）の上に載せて、3種類ハーモニカの吹口（22）に合致する空気（整流）の流れに変換するものである。
スライド板にあける3カ所孔口（12）の大きさは、ハーモニカの吹口（22）の大きさと同じであるが、孔口の位置については、中心の上下同時に鳴る時の孔口の位置と、その左右に配置する上下単独の孔口の位置との間隔は、考案Aのリード切削作業台（19）を跨ぐだけの間隔を必要とし、吹出口（18）の上には1組の孔口しか乗らないように配置する。
【実施例８】
【００２５】
図5の如く、１つの収納箱の筺体（1）の天端に、本考案の分流制御アタッチメントと「考案A」の装置を併設すれば、本考案と、「考案A」両方の特質を備えた、調律・検音が可能となる。5タイプの試作装置を検証した結果、２つの機能を使いわけられるこの装置が最も優れていた。
但し、この装置は１つの筺体（１）に２つの装置が併設されるので、使用しない装置の吹出口からの漏気するので、使用しない片方の装置の噴出口には、筺体（1）の天板裏側に木栓等の漏気防止装置設けた。
【実施例９】
【００２６】
ハーモニカ・ガイドレール（16）の幅に２つのゲージを設け、カバー（22）を外して調律・検音出来ると同時に、普段使用しているハーモニカそのままでの状態で検音が出来るようにした。
つまり、ハーモニカ・ガイドレールの根元部分のゲージ幅は、ハーモニカのカバー（23）を外して調律する時の幅とし、その少し上の部分はカバーを外さずにハーモニカそのままが載るゲージ幅とした。
これにより、従来の調律・検音はもとより、ハーモニカに直接口を触れずに検音出来ることと相まって、ハーモニカ教室等でも誰もが簡単にこの装置の上に自分のハーモニカを載せれば簡単に検音出来るので、自分のハーモニカの状態を常に把握出来る。
【実施例１０】
【００２７】
なお、本考案では、ハーモニカの本体（4）からリード保持プレート（５）を分離しないで調律するために、狂ったリードの切削調律作業は、従来の切削調律方法で調律する。
【産業上の利用可能性】
【００２８】
実際に桐箱とアクリル板を用いて、図1の縦スライド分流制御アタッチメント、図2の横スライド分流制御アタッチメント, 図3のスライド板分流制御アダプター、 図4の縦・横スライド分流制御アタッチメントを利用した「考案A」のアダプター、図５の「考案A」と本考案の併設方式の5タイプの装置を試作した。
どのタイプにおいても、製作する上で特に問題となる点や事態は生じなかった。
本考案は、ハーモニカの構造が、分解出来る、出来ないに関わらず、全てのハーモニカの調律・検音を、ハーモニカに直接口を触れることなく出来るようにし、かつその調律時間の短縮も図れた。
また、ハーモニカ合奏時の大きな問題である「音合わせ」についても、合奏のリーダーが本装置を使用して、演奏者のハーモニカに直接口を触れることなく、全てのハーモニカの状態を事前に簡単に把握し、調律しておくことで解決出来た。
これ等のことから、産業上での利用の可能性は充分にあると判断した。
【符号の説明】
【００２９】
１．筺体
２a．送風口
２b．送風管
３．分流制御アタッチメント（縦スライド方式）
４．ハーモニカ本体
５．リード保持プレート
６．リード
７．チューニング・メーター
８．上板
９．中板
１０a. 縦スライド板
１０b. 横スライド板
１０c. スライド板
１１．底板
１２．孔口
１３．操作ハンドル
１４．ストッパー
１５．センター位置表示標識
１６．ハーモニカ・ガイドレール
１７.  スペーサー（「考案A」とのずれ止）
１８.  吹出口
１９. リード切削作業台（「考案A」）
２０.  リード破損防止台（「考案A」）
２１.   「考案A」の装置
２２.  吹口
２３.  カバー
２４.  止めネジ（釘・リベット）
【図１】
0003197346.tif 000003
【図２】
0003197346.tif 000004
【図３】
0003197346.tif 000005
【図４】
0003197346.tif 000006
【図５】
0003197346.tif 000007
【図６】
0003197346.tif 000008
【手続補正書】
【提出日】平成27年3月5日(2015.3.5)
【手続補正１】
【補正対象書類名】実用新案登録請求の範囲
【補正対象項目名】全文
【補正方法】変更
【補正の内容】
【実用新案登録請求の範囲】
【請求項１】
リード（6）に共鳴する素材で、調律機器と工具一式を収納出来る容量を有し、かつ気密性を保持する筺体（１）に、送風口（2a）と吹出口を設け、その吹出口に３層からなる薄板のそれぞれに、ハーモニカ上下の吹口（22）の大きさと、その位置までをも同じにした孔口（12）を設け、中層に配したスライド板（10）を動かすことで3層の薄板が合成する孔口がハーモニカの上、下、上下合わせた３種類の吹口に合致する孔口が創られる分流制御アタッチメント（3）を固定し、その上に吹口を下にしたハーモニカを載せて、送風管（２b）から息を吹吸しながらスライド板を動かすことで、ハーモニカ本体（4）からリード保持プレート（5）を分離しなくとも、リード個々の音（振動数）はもとより、上下リードを同時に鳴らした時のビブラートの状態をも調律出来、更に調律時には自分や他人のハーモニカに直接口を触れないので、調律師はもとより調律依頼者の安全衛生及び心理面からの不安を払拭出来ることを特徴とする、調律機器や工具の収納箱と分流制御アタッチメントを利用したハーモニカ調律・検音装置。
【請求項２】
請求項１の分流制御アタッチメント（3）の機構には２つの方式があり、第１は中層に配したスライド板（10a）を垂直方向（縦）に動かして所定の合成孔口（12）を構成する「縦スライド分流制御アタッチメント」と、第２はスライド板（10b）を水平方向（横）に動かして所定の合成孔口（12）を構成する「横スライド分流制御アタッチメント」の２方式で、そのいずれの方式でもハーモニカ本体（4）からリード保持プレート（5）を分離しなくとも、リード個々の音（振動数）はもとより、上下リードを同時に鳴らした時のビブラートの状態をも調律出来ることを特徴とする、請求項１に記載のハーモニカ調律・検音装置。
【請求項３】
縦又は横スライド分流制御アタッチメントの底板（１１）の裏側に、ずれ止用スペーサー（17）を設けることを特徴とする、請求項２に記載のハーモニカ調律・検音装置。
【請求項４】
分流制御アタッチメント底板（１１）に開いている、ハーモニカ上下の吹口（22）の大きさと、その位置までをも同じにした孔口（12）から、少し離した右上側と左下側の平行位置に、それぞれ同じ大きさの１孔設け、かつ、その底板の裏側にずれ止スペーサー（１７）を設けることを特徴とする、請求項２記載のハーモニカ調律・検音装置。